(57)【要約】      （修正有）【課題】新規屋根材により既存瓦棒屋根を改修する構造に係るものである。【解決手段】既存の瓦棒屋根Ｘにおいて、横断面が瓦棒屋根Ｘの断面に対応した形状で形成し、横断面が新規屋根材Ａの横断面に対応した形状に形成した裏打材Ｄと、幅方向の側端縁に引っ掛け構造の雄雌連結構造を形成した新規屋根材Ａとからなり、既存瓦棒屋根Ｘ上に裏打材Ｄを敷設し、裏打材Ｄ上に新規屋根材Ａを形成した屋根構造である。【選択図】図１
2004218350.tif 000002
【特許請求の範囲】
【請求項１】
既存の瓦棒屋根において、横断面が瓦棒屋根の断面に対応した形状で形成し、横断面が新規屋根材の横断面に対応した形状に形成した裏打材と、幅方向の側端縁に引っ掛け構造の雄雌連結構造を形成した新規屋根材とからなり、既存瓦棒屋根上に裏打材を敷設し、該裏打材上に新規屋根材を形成したことを特徴とする屋根構造。
【発明の詳細な説明】
【０００１】
【発明の属する技術分野】
本発明は、新規屋根材により既存瓦棒屋根を改修する構造に係るものである。
【０００２】
【従来の技術】一般に、既存の瓦棒屋根を除去することなく新規金属製屋根材により改修する構造は数多く上市されている。（例えば、特許文献１、２、３参照）。
【０００３】
【特許文献１】
特開平８−０１３７０７号公報
【特許文献２】
特開平８−０２１０４１号公報
【特許文献２】
特開平８−０２１０４２号公報
【０００４】
【発明が解決しようとする課題】
しかしながら、特許文献１〜３は調湿機能を向上することを主目的とするものであり、特にコスト、施工性、断熱性、耐結露性、等に主眼を置いたものでなかった。
【０００５】
【課題を解決するための手段】
本発明はこのような欠点を解決するために、既存の瓦棒屋根において、横断面が瓦棒屋根の断面に対応した形状で形成し、横断面が新規屋根材の横断面に対応した形状に形成した裏打材と、幅方向の側端縁に引っ掛け構造の雄雌連結構造を形成した新規屋根材とからなり、既存瓦棒屋根上に裏打材を敷設し、裏打材上に新規屋根材を形成した屋根構造を提供するものである。
【０００６】
【発明の実施の形態】
以下に図面を用いて本発明に係る屋根構造について詳細に説明する。図１（ａ）〜（ｃ）は本発明に係る屋根構造の施工順序を説明する説明図、図２は新規屋根材Ａの代表的一例を示す説明図、図３は（ａ）、（ｂ）はジョイナＢ（Ｃはパッキング材）とその施工状態を示す説明図である。図中、Ｘは既存の瓦棒屋根、αは下地、βは釘等の固定具を示している。なお、図３（ｂ）は図４（ａ）のａ−ａ部端面図である。
【０００７】
下地αは、新築の際は図３に示すように垂木１、野地板２、防水シート３（一点鎖線で示す）から構成した木造下地を示したものである。
【０００８】
瓦棒屋根Ｘは、図５（ａ）、（ｂ）に示すように、溝板Ｘ１と瓦棒包み板Ｘ２部分よりなる長尺状の金属製屋根材であり、心木ありと心木なしの２種類の構造からなる屋根である。そして、長年の風雨、日射、積雪、汚れ、酸性雨、等により、変色・錆・穴あき・汚れ、等により改修が必要になった屋根材である。
【０００９】
新規屋根材Ａは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、新規屋根材Ａの表面材として、新規屋根材Ａの代わりに窯業系素材、もしくは合成樹脂材（プラスチック）、等で形成してもよいものである。
【００１０】
さらに説明すると、新規屋根材Ａは長尺板状であり、図２に示すように、略水平面状の化粧面４と、裏面５と、化粧面４の水下側端部を下方に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。
【００１１】
また、図２に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３を形成したものである。また、化粧面４の端部には図３（ｂ）に示すような係止片１４を形成し、図３（ａ）に示すジョイナＢの係合片１５に係止することにより新規屋根材Ａを下地α上に固定するものである。
【００１２】
裏打材Ｄは防水材、断熱材、補強材、段差形成材、吸音材、緩衝材、防火材、結露防止材、等として機能するものであり、主に、合成樹脂発泡体の成形材を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。また、芯材中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００１３】
裏打材Ｄの形状は、図４（ａ）〜（ｅ）に示すように、水平面１６と、水平面１６の水下側を突出した突出片１７と、突出片１７により形成した切り欠き１８と、水平面１６の水上側を上方に突出した防水片１９と、裏面側に形成した凹溝２０、凸部２１と、水平面に形成した溝２２とから形成したものである。
【００１４】
なお、図４（ａ）は拡大縦断面図、図４（ｂ）は平面図、図４（ｃ）は（ｂ）図の底面図、図４（ｄ）は（ｂ）図の右側面図、図４（ｅ）は（ｂ）図の縦断面図である。
【００１５】
図５（ａ）において、瓦棒包み板Ｘ１間の幅をａ、瓦棒包み板の幅をｂ、瓦棒包み板Ｘ１の高さをｃ、図４（ｃ）において、長さをＷ、凹溝２０の幅をｄ、凸部２１の幅をｅ、端部から凸部２１間での距離をｆ、図４（ａ）において凹部２０の深さをｇとすると、ａ＝４５５ｍｍ、ａ＝３６４ｍｍ等、ｂ＜ｄ、ｃ＜ｇ、の関係である。
【００１６】
また、図ではａ＝４５５ｍｍ、ａ＝３６４ｍｍの２種類の瓦棒屋根Ｘに対応できるようにしたものであり、働き長さは１８２０ｍｍ、Ｗ＝１８１０（＋１０、−１８）ｍｍ、ｄ＝５４ｍｍ、ｅ＝３７ｍｍ、ｆ＝２２ｍｍ、の寸法である。
【００１７】
【発明の効果】
以上説明したように、本発明に係る屋根構造によれば、裏打材の形成により、▲１▼段差の大きい新規屋根材を形成でき、意匠的に重厚なイメージの屋根となる。▲２▼段差を大きく形成しても、荷重により変形することがない。▲３▼瓦棒屋根を簡単に、かつ低コストで施工できる。▲４▼緩勾配の瓦棒屋根にも防水性を保ったまま施工できる。等の特徴、効果がある。
【図面の簡単な説明】
【図１】本発明に係る屋根構造の施工状態を示す説明図である。
【図２】本発明に係る屋根構造に使用する新規屋根材の代表的一例を示す説明図である。
【図３】本発明に係る屋根構造に使用するジョイナの代表的一例を示す説明図である。
【図４】本発明に係る屋根構造に使用する裏打材の代表的一例を示す説明図である。
【図５】本発明に係る屋根構造に使用する瓦棒屋根の代表的一例を示す説明図である。
【符号の説明】
α  下地
β  固定具
γ  空間
Ａ  新規屋根材
Ｂ  ジョイナ
Ｃ  パッキング材
Ｄ  裏打材
１  垂木
２  野地板
３  防水シート
４  化粧面
５  裏面
６  段差化粧面
７  差込縁
８  引っ掛け溝
９  雄型連結部
１０  嵌合溝
１１  嵌合縁
１２  固定片
１３  雌型連結部
１４  係止片
１５  係合片
１６  水平面
１７  突出片
１８  切り欠き
１９  防水片
２０  引っ掛け片
【図１】
2004218350.tif 000003
【図２】
2004218350.tif 000004
【図３】
2004218350.tif 000005
【図４】
2004218350.tif 000006
【図５】
2004218350.tif 000007